(57)【要約】【課題】ドアーの外側から故意に覗こうとしても内部が見えず、またレンズを破壊しても針金などの道具を差し込んでサムターンを開錠させることができず、さらにドアーの外側より外すことが困難で防犯上安全なドアースコープの取り付け部構造を提供する。【解決手段】ダブルドアー１の室内側ドアー板２の室内側に向く面にはドアースコープ９の取り付け位置においてベースプレート４が取り付けられ、ベースプレート４に上下動可能に係合する蓋体１９を取り付けてベースプレート４のドアースコープ差し込み孔４ａに差し込んだドアースコープ９の外筒１１の一端の覗き孔２８を室内側で閉じるように構成され、室外側ドアー板３の外面にドアースコープ９の複数のレンズ２５，２６，２７を内蔵する内筒１０の一端の鍔部１３に当接するオーナメント１４を裏面側で室外側に露出しないようにベースプレート４側から差し込んだビス１８により取り付けた。【選択図】図７
2009052359.tif 000002
【特許請求の範囲】
【請求項１】
室内側ドアー板と室外側ドアー板とを備えてなるダブルドアーの室内側ドアー板の室内側に向く面にはドアースコープの取り付け位置においてベースプレートが取り付けられ、このベースプレートのドアースコープ差し込み孔よりドアースコープの外筒を差し込み、室外側ドアー板のドアースコープ差し込み孔に複数のレンズを内蔵するドアースコープの内筒を差し込んで、外筒の一端の鍔部がベースプレートのドアースコープ差し込み孔の周囲の室内側内面に強く当接するとともに、内筒の一端の鍔部が室外側ドアー板のドアースコープ差し込み孔の周囲の室外側外面に強く当接するまで内筒を外筒に螺入させ、前記外筒の鍔部が形成されている一端が室内側からの覗き孔となり、室外側ドアー板の外面にドアースコープの内筒の一端の鍔部の外径よりもやや小さな丸孔が形成されてなる板状のオーナメントを前記丸孔の外周部がドアースコープの内筒の一端の鍔部に当接するようにオーナメントの裏面側で室外側に露出しないように前記ベースプレート側から差し込んだビスにより取り付け、さらに前記ベースプレートには上下動可能に係合する蓋体が取り付けられ、蓋体が下降した状態において前記覗き孔は蓋体により室内側で閉じられるようにしたことを特徴とするドアースコープの取り付け部構造。
【発明の詳細な説明】
【技術分野】
【０００１】
本発明は、建物の玄関扉に取り付けられるドアースコープの取り付け部構造に関するものである。
【背景技術】
【０００２】
従来のこの種ドアースコープの取り付け部構造としては、例えば特許文献１に開示されているように、フラッシュドアと呼ばれている２枚板の厚みのあるダブルドアに取り付けられる防犯レンズの取り付け部において、室内側より室内側ドア板の取付孔に差し込まれる外筒と室外側より室外側ドア板の取付孔に差し込まれ前記外筒にねじ込まれる内筒とからなる防犯レンズの前記外筒の室内側フランジ部を覆うカバー片と、このカバー片を防犯レンズに取り付けるための取付リングからなる防犯レンズ用カバーを備えたものが知られている。
【特許文献１】特開２００２−３０８７５号公報
【発明の開示】
【発明が解決しようとする課題】
【０００３】
上記特許文献１に開示されているような防犯レンズに防犯レンズ用カバーを備えたものでは、室外側ドア板の取付孔に差し込まれた内筒をドアの外側から覗いて内部を見ようとしても外筒の室内側フランジ部はカバー片で覆われているので内部は見えないが、硬い金属棒などにより防犯レンズのレンズを破壊して内筒および外筒より針金などの道具を差し込み、サムターンを開錠させることが可能となり防犯上において問題がある。また、上記特許文献１に開示されている防犯レンズにあっては、ドアの外側に突出する内筒をドアの外側で回すことができ、ドアから防犯レンズの部品が全て取り外され、レンズを破壊された場合よりもドアに大きな孔が開いた状態となり、より一層防犯上において問題がある。
【０００４】
本発明の目的は、このような課題を解決するものであり、ドアーの外側から故意に覗こうとしても内部が見えず、またレンズを破壊しても針金などの道具を差し込んでサムターンを開錠させることができず、さらにドアーの外側より外すことが困難で防犯上安全なドアースコープの取り付け部構造を提供することにある。
【課題を解決するための手段】
【０００５】
本発明の請求項１に記載のドアースコープの取り付け部構造は、室内側ドアー板と室外側ドアー板とを備えてなるダブルドアーの室内側ドアー板の室内側に向く面にはドアースコープの取り付け位置においてベースプレートが取り付けられ、このベースプレートのドアースコープ差し込み孔よりドアースコープの外筒を差し込み、室外側ドアー板のドアースコープ差し込み孔に複数のレンズを内蔵するドアースコープの内筒を差し込んで、外筒の一端の鍔部がベースプレートのドアースコープ差し込み孔の周囲の室内側内面に強く当接するとともに、内筒の一端の鍔部が室外側ドアー板のドアースコープ差し込み孔の周囲の室外側外面に強く当接するまで内筒を外筒に螺入させ、前記外筒の鍔部が形成されている一端が室内側からの覗き孔となり、室外側ドアー板の外面にドアースコープの内筒の一端の鍔部の外径よりもやや小さな丸孔が形成されてなる板状のオーナメントを前記丸孔の外周部がドアースコープの内筒の一端の鍔部に当接するようにオーナメントの裏面側で室外側に露出しないように前記ベースプレート側から差し込んだビスにより取り付け、さらに前記ベースプレートには上下動可能に係合する蓋体が取り付けられ、蓋体が下降した状態において前記覗き孔は蓋体により室内側で閉じられるようにしたことを特徴とする。
【発明の効果】
【０００６】
以上のように、本発明のドアースコープの取り付け部構造は、覗き孔は普段は下降した状態にある蓋体により室内側で閉じられており、覗き孔よりダブルドアーの外側を確認する場合はベースプレートに対して蓋体を持ち上げて覗き孔を開いた状態にすることによりダブルドアーの外側を確認することができる。また、ドアースコープは内筒の一端側の鍔部がオーナメントにより室外側ドアー板側に抑え付けられ、またオーナメントはその裏面側で室外側に露出しないビスにより固定されており、内筒を室外側で回そうとしても室外側でのオーナメントの取り外しが不可能であるため内筒を室外側で回して外すことは困難である。また、ドアースコープの覗き孔は普段は下降した状態にある蓋体により室内側で閉じられているので、室外側から故意に覗こうとしても内部が見えず、また室外側より硬い金属棒などによりレンズを破壊した後、内筒および外筒より針金などの道具を差し込んでサムターンを開錠させようとしても覗き孔は下降した状態にある蓋体により室内側で閉じられているので、針金などの道具を室内側に差し込むことは不可能であり、防犯上非常に安全なドアースコープの取り付け部構造を提供することができる。
【発明を実施するための最良の形態】
【０００７】
以下、本発明の一実施の形態を、図１〜図８を用いて具体的に説明する。
図において、１はフラッシュドアーと呼ばれている２枚板の厚みのあるダブルドアーで、室内側ドアー板２と室外側ドアー板３とを備え、室内側ドアー板２の内面、つまり室内側に向く面にはドアースコープの取り付け位置においてベースプレート４が取り付けられる。室内側ドアー板２にはベースプレート４の中央部の厚肉部４ａを嵌入させる孔部２ａが形成されている。ベースプレート４は縦長の板状を呈し、その裏面、つまり室内側ドアー板２の側に向く面において両側が中央部に比べて薄肉状となっていて、中央部との間に段差が形成されている。５はベースプレート４の両側の薄肉部である。ベースプレート４の厚肉部４ａにはドアースコープの取り付け位置においてドアースコープ差し込み孔４ｂが上下方向中央部近傍に形成されており、このドアースコープ差し込み孔４ｂを上下から挟むようにベースプレート４の裏面側において上下両端近傍部に突出部６ａ，６ｂが設けられている。上側の突出部６ａにはダブルドアー１の厚み方向に向いて貫通する孔部７が形成されている。９は広角レンズを備えダブルドアー１の外側に向く内筒１０と、ダブルドアー１の内側に向き前記内筒１０の外面の雄ねじ１０ａに螺合する雌ねじ１１ａを内面に有する外筒１１とからなるドアースコープである。ダブルドアー１に対するドアースコープ９の取り付けは、前記ベースプレート４の厚肉部４ａを室内側ドアー板２の孔部２ａに嵌め込んでベースプレート４を位置決めした状態でベースプレート４のドアースコープ差し込み孔４ｂより外筒１１を差し込み、一方室外側ドアー板３のドアースコープ差し込み孔３ａに内筒１０を差し込んで、内筒１０を外筒１１に螺入させる。このとき、外筒１１の一端の鍔部１２がベースプレート４のドアースコープ差し込み孔４ｂの周囲の室内側内面に強く当接するとともに、内筒１０の一端の鍔部１３が室外側ドアー板３のドアースコープ差し込み孔３ａの周囲の室外側外面に強く当接するまで内筒１０を外筒１１に螺入させる。この状態において、ドアースコープ９取り付け部を室外側で装飾させるとともにドアースコープ９の外し防止のために室外側ドアー板３の外面に板状のオーナメント１４を取り付ける。このオーナメント１４には横幅方向中央部において上下方向中央部よりやや下側位置に前記ドアースコープ９の内筒１０の一端の鍔部１３の外径よりもやや小さな丸孔１５が形成されており、またこのオーナメント１４の横幅方向中央部における裏面には前記丸孔１５を上下から挟むように上下両端近傍部に突出部１４ａ，１４ｂが形成され、この突出部１４ａ，１４ｂを室外側ドアー板３に形成された孔部１６ａ，１６ｂに嵌め込んでオーナメント１４を位置決めするようになっている。このオーナメント１４の位置決め状態において前記丸孔１５の外周部がドアースコープ９の内筒１０の一端の鍔部１３に当接するようになる。なお、オーナメント１４は上側の突出部１４ａにはダブルドアー１の厚み方向に向くがオーナメント１４を貫通しないように雌ねじ孔１７が形成されている。上記のように室外側ドアー板３に位置決めされたオーナメント１４は、前記室内側ドアー板２に位置決めされたベースプレート４の突出部６ａの孔部７より差し込んだビス１８の先端を前記雌ねじ孔１７に螺入させ締め付けることによりダブルドアー１の内側と外側でベースプレート４との間でダブルドアー１を挟むように固定される。
【０００８】
ところで、前記ベースプレート４には両側の薄肉部５に上下動可能に係合する蓋体１９が取り付けられる。ベースプレート４と蓋体１９との関係について詳細に述べると、蓋体１９はベースプレート４の室内側に向く面を覆う板部２０と、この板部２０の裏面両側に取り付けられた係合板２１とからなり、この係合板２１と前記板部２０との間で形成された溝２２を前記ベースプレート４の薄肉部５に係合させることにより蓋体１９は上下動可能となる。なお、蓋体１９がベースプレート４の室内側に向く面を覆った下降状態において蓋体１９はベースプレート４の上端に載って受けられ、また蓋体１９を持ち上げた状態において蓋体１９の下端近傍のストッパー部２３がベースプレート４の上端近傍のストッパー部２４に当接して蓋体１９はベースプレート４から上方に抜け外れないように構成されている。
【０００９】
さらに、前記ドアースコープ９について詳細に述べると、内筒１０には鍔部１３が形成されている一端側に広角レンズ２５が設けられるとともに、この広角レンズ２５の内側に近接して２枚重ねの凹レンズ２６，２６が設けられ、また内筒１０の長さ方向中央部内部に凸レンズ２７が設けられている。このように広角レンズ２５、凹レンズ２６，２６、凸レンズ２７が設けられた内筒１０の他端側を外筒１１に螺入させることによってドアースコープ９が完成する。このようなドアースコープ９において、外筒１１の鍔部１２が形成されている一端が室内側からの覗き孔２８となる。
【００１０】
上記構成において、覗き孔２８は普段は下降した状態にある蓋体１９により室内側で閉じられており、覗き孔２８よりダブルドアー１の外側を確認する場合はベースプレート４に対して蓋体１９を持ち上げて覗き孔２８を開いた状態にすることによりダブルドアー１の外側を確認することができる。
【００１１】
ところで、ドアースコープ９は内筒１０の一端側の鍔部１３がオーナメント１４により室外側ドアー板３側に抑え付けられ、またオーナメント１４はその裏面側で室外側に露出しないビス１８により固定されており、内筒１０を室外側で回そうとしても室外側でのオーナメント１４の取り外しが不可能であるため内筒１０を室外側で回して外すことは困難である。また、ドアースコープ９の覗き孔２８は普段は下降した状態にある蓋体１９により室内側で閉じられているので、室外側から故意に覗こうとしても内部が見えず、また室外側より硬い金属棒などにより広角レンズ２５、凹レンズ２６，２６、凸レンズ２７を破壊した後、内筒１０および外筒１１より針金などの道具を差し込んでサムターンを開錠させようとしても覗き孔２８は下降した状態にある蓋体１９により室内側で閉じられているので、針金などの道具を室内側に差し込むことは不可能であり、防犯上非常に安全なドアースコープの取り付け部構造を提供することができる。
【図面の簡単な説明】
【００１２】
【図１】本発明の一実施の形態におけるドアースコープの取り付け部構造に用いられる部品を示す分解斜視図である。
【図２】同オーナメントを裏面側から見た斜視図である。
【図３】同ドアースコープをダブルドアーに取り付けた完成状態を示す側面図である。
【図４】同ドアースコープをダブルドアーに取り付けた完成状態を室内側から見た斜視図である。
【図５】同ドアースコープをダブルドアーに取り付けた完成状態を室外側から見た斜視図である。
【図６】図３のＸ−Ｘ断面図である。
【図７】図３のＹ−Ｙ断面図である。
【図８】図３のＺ−Ｚ断面図である。
【符号の説明】
【００１３】
１              ダブルドアー
２              室内側ドアー板
２ａ            孔部
３              室外側ドアー板
３ａ            ドアースコープ差し込み孔
４              ベースプレート
４ａ            厚肉部
４ｂ            ドアースコープ差し込み孔
５              薄肉部
６ａ，６ｂ      突出部
７              孔部
９              ドアースコープ
１０              内筒
１０ａ            雄ねじ
１１              外筒
１１ａ            雌ねじ
１２，１３        鍔部
１４              オーナメント
１４ａ，１４ｂ    突出部
１５              丸孔
１６ａ，１６ｂ    孔部
１７              雌ねじ孔
１８              ビス
１９              蓋体
２０              板部
２１              係合板
２２              溝
２３，２４        ストッパー部
２５              広角レンズ
２６              凹レンズ
２７              凸レンズ
２８              覗き孔
【図１】
2009052359.tif 000003
【図２】
2009052359.tif 000004
【図３】
2009052359.tif 000005
【図４】
2009052359.tif 000006
【図５】
2009052359.tif 000007
【図６】
2009052359.tif 000008
【図７】
2009052359.tif 000009
【図８】
2009052359.tif 000010